(57)【要約】【課題】  配信先の環境に応じた条件でコンテンツを配信でき、宅内情報通信端末と携帯型移動情報通信端末の双方において共通にコンテンツの視聴をすることができ、元コンテンツの誘導による効率的なコンテンツ配信が可能なコンテンツ配信システムおよび方法、プログラムを提供する。【解決手段】  コンテンツを蓄積するコンテンツデータベースと、コンテンツパラメータ情報を記憶するコンテンツ情報データベースと、元コンテンツの元コンテンツパラメータ情報を抽出する元コンテンツパラメータ情報抽出手段と、元コンテンツパラメータ情報をコンテンツ情報データベースへ送信する送信手段と、元コンテンツパラメータ情報に合致するコンテンツパラメータ情報を検索してコンテンツパラメータ情報に紐付けされたコンテンツをコンテンツデータベースから呼出すコンテンツ呼出し手段と、コンテンツを情報通信端末へ配信するコンテンツ配信手段と、を備える。【選択図】      図１
2006301808.tif 000002
【特許請求の範囲】
【請求項１】
ネットワークに接続された情報通信端末にコンテンツを配信するためのコンテンツ配信システムにおいて、
前記コンテンツを配信可能に蓄積するためのコンテンツデータベースと、
前記コンテンツデータベースに蓄積された前記コンテンツのコンテンツパラメータ情報を記憶するためのコンテンツ情報データベースと、
前記情報通信端末に入力された元コンテンツの元コンテンツパラメータ情報を解析して抽出するための元コンテンツパラメータ情報抽出手段と、
前記元コンテンツパラメータ情報を前記コンテンツ情報データベースへ送信するための送信手段と、
前記コンテンツ情報データベースが受信した前記元コンテンツパラメータ情報に合致する前記コンテンツパラメータ情報を検索し、合致した前記コンテンツパラメータ情報に紐付けされたコンテンツを前記コンテンツデータベースから呼出すためのコンテンツ呼出し手段と、
呼出された前記コンテンツを前記情報通信端末へ配信するためのコンテンツ配信手段と、
を備えることを特徴とするコンテンツ配信システム。
【請求項２】
前記コンテンツ配信手段は、
配信可能な前記コンテンツの有無および種類を前記情報通信端末へ通知し、この通知に対する前記情報通信端末からの返信内容に応じた前記コンテンツの配信を実行することを特徴とする請求項１に記載のコンテンツ配信システム。
【請求項３】
前記元コンテンツは、
公共放送による番組の内容情報、光磁気記録媒体に記録された音声情報や動画情報および静止画情報、前記ネットワークを介して配信されるＩＰ系コンテンツ情報、のうちのすくなくともいずれかであることを特徴とする請求項１または２のいずれか１項に記載のコンテンツ配信システム。
【請求項４】
前記元コンテンツパラメータ情報は、
前記公共放送におけるチャンネル情報および放送時間、前記光磁気記録媒体および前記ＩＰ系コンテンツ情報に付与されたユニークＩＤ、のうちのすくなくともいずれかであることを特徴とする請求項１〜３のうちのいずれか１項に記載のコンテンツ配信システム。
【請求項５】
前記コンテンツは、
前記情報通信端末の種類および／または該情報通信端末に予め設定されたコンテンツ条件に応じた内容であって、
すくなくとも翻訳字幕入り版、コマーシャルカット版、高品質版、携帯電話対応版、のうちのいずれか一つを含むことを特徴とする請求項１〜４のうちのいずれか１項に記載のコンテンツ配信システム。
【請求項６】
前記情報通信端末は、
ＰＣ、ＰＤＡ、携帯電話、ＴＶ、音声記録再生装置、画像記録再生装置、のうちのすくなくともいずれかであることを特徴とする請求項１〜５のうちのいずれか１項に記載のコンテンツ配信システム。
【請求項７】
ネットワークに接続された情報通信端末にコンテンツを配信するためのコンテンツ配信方法において、
コンテンツデータベースによって、前記コンテンツを配信可能に蓄積するステップと、
コンテンツ情報データベースによって、前記コンテンツデータベースに蓄積された前記コンテンツのコンテンツパラメータ情報を記憶するステップと、
元コンテンツパラメータ情報抽出手段によって、前記情報通信端末に入力された元コンテンツの元コンテンツパラメータ情報を解析して抽出するステップと、
送信手段によって、前記元コンテンツパラメータ情報を前記コンテンツ情報データベースへ送信するステップと、
コンテンツ呼出し手段によって、前記コンテンツ情報データベースが受信した前記元コンテンツパラメータ情報に合致する前記コンテンツパラメータ情報を検索し、合致した前記コンテンツパラメータ情報に紐付けされたコンテンツを前記コンテンツデータベースから呼出すステップと、
コンテンツ配信手段によって、呼出された前記コンテンツを前記情報通信端末へ配信するステップと、
を有することを特徴とするコンテンツ配信方法。
【請求項８】
前記コンテンツ配信手段は、
配信可能な前記コンテンツの有無および種類を前記情報通信端末へ通知し、この通知に対する前記情報通信端末からの返信内容に応じた前記コンテンツの配信を実行することを特徴とする請求項７に記載のコンテンツ配信方法。
【請求項９】
前記元コンテンツは、
公共放送による番組の内容情報、光磁気記録媒体に記録された音声情報や動画情報および静止画情報、前記ネットワークを介して配信されるＩＰ系コンテンツ情報、のうちのすくなくともいずれかであることを特徴とする請求項７または８のいずれか１項に記載のコンテンツ配信方法。
【請求項１０】
前記元コンテンツパラメータ情報は、
前記公共放送におけるチャンネル情報および放送時間、前記光磁気記録媒体および前記ＩＰ系コンテンツ情報に付与されたユニークＩＤ、のうちのすくなくともいずれかであることを特徴とする請求項７〜９のうちのいずれか１項に記載のコンテンツ配信方法。
【請求項１１】
前記コンテンツは、
前記情報通信端末の種類および／または該情報通信端末に予め設定されたコンテンツ条件に応じた内容であって、
すくなくとも翻訳字幕入り版、コマーシャルカット版、高品質版、携帯電話対応版、のうちのいずれか一つを含むことを特徴とする請求項７〜１０のうちのいずれか１項に記載のコンテンツ配信方法。
【請求項１２】
前記情報通信端末は、
ＰＣ、ＰＤＡ、携帯電話、ＴＶ、音声記録再生装置、画像記録再生装置、のうちのすくなくともいずれかであることを特徴とする請求項７〜１１のうちのいずれか１項に記載のコンテンツ配信方法。
【請求項１３】
ネットワークに接続された情報通信端末にコンテンツを配信するためのコンテンツ配信プログラムにおいて、
コンテンツデータベースによって、前記コンテンツを配信可能に蓄積するステップと、
コンテンツ情報データベースによって、前記コンテンツデータベースに蓄積された前記コンテンツのコンテンツパラメータ情報を記憶するステップと、
元コンテンツパラメータ情報抽出手段によって、前記情報通信端末に入力された元コンテンツの元コンテンツパラメータ情報を解析して抽出するステップと、
送信手段によって、前記元コンテンツパラメータ情報を前記コンテンツ情報データベースへ送信するステップと、
コンテンツ呼出し手段によって、前記コンテンツ情報データベースが受信した前記元コンテンツパラメータ情報に合致する前記コンテンツパラメータ情報を検索し、合致した前記コンテンツパラメータ情報に紐付けされたコンテンツを前記コンテンツデータベースから呼出すステップと、
コンテンツ配信手段によって、呼出された前記コンテンツを前記情報通信端末へ配信するステップと、
を有することを特徴とするコンテンツ配信プログラム。
【請求項１４】
前記コンテンツ配信手段は、
配信可能な前記コンテンツの有無および種類を前記情報通信端末へ通知し、この通知に対する前記情報通信端末からの返信内容に応じた前記コンテンツの配信を実行することを特徴とする請求項１３に記載のコンテンツ配信プログラム。
【請求項１５】
前記元コンテンツは、
公共放送による番組の内容情報、光磁気記録媒体に記録された音声情報や動画情報および静止画情報、前記ネットワークを介して配信されるＩＰ系コンテンツ情報、のうちのすくなくともいずれかであることを特徴とする請求項１３または１４のいずれか１項に記載のコンテンツ配信プログラム。
【請求項１６】
前記元コンテンツパラメータ情報は、
前記公共放送におけるチャンネル情報および放送時間、前記光磁気記録媒体および前記ＩＰ系コンテンツ情報に付与されたユニークＩＤ、のうちのすくなくともいずれかであることを特徴とする請求項１３〜１５のうちのいずれか１項に記載のコンテンツ配信プログラム。
【請求項１７】
前記コンテンツは、
前記情報通信端末の種類および／または該情報通信端末に予め設定されたコンテンツ条件に応じた内容であって、
すくなくとも翻訳字幕入り版、コマーシャルカット版、高品質版、携帯電話対応版、のうちのいずれか一つを含むことを特徴とする請求項１３〜１６のうちのいずれか１項に記載のコンテンツ配信プログラム。
【請求項１８】
前記情報通信端末は、
ＰＣ、ＰＤＡ、携帯電話、ＴＶ、音声記録再生装置、画像記録再生装置、のうちのすくなくともいずれかであることを特徴とする請求項１３〜１７のうちのいずれか１項に記載のコンテンツ配信プログラム。
【請求項１９】
請求項１３〜１８のうちのいずれか１項に記載のコンテンツ配信プログラムは、前記ネットワーク上に配置されたサーバにインストールして実行可能なことを特徴とするコンテンツ配信プログラム。
【発明の詳細な説明】
【技術分野】
【０００１】
本発明は、ネットワークを介したコンテンツ配信システムに適用して好適なコンテンツの配信制御のためのコンテンツ配信システムおよび方法、プログラムに関する。
【背景技術】
【０００２】
従来のコンテンツ配信に係る技術において、一般的に広く用いられている方法はＣＤやＤＶＤなどの記録媒体に音楽や映像などのコンテンツを記録して流通させる方法と、電波や信号ケーブルなどの媒体を介した公共放送による番組放映、といった方法である。
【０００３】
また、近年のインターネットなどの情報通信ネットワークの発達に伴い、こうしたネットワーク回線を利用したコンテンツの配信も行われている。
【０００４】
たとえば、ネットワークに接続された情報配信装置とクライアント装置の間で、情報配信装置から利用者のプロファイルに基づいたコンテンツ情報を配信する。一方、クライアント装置では、このコンテンツ情報を受信し、これに対する評価情報をクライアント装置へ返信する。返信された評価情報に基づいて、情報配信装置はクライアント装置へ配信するコンテンツ情報を変更して再配信する（特許文献１参照）。
【特許文献１】特開２００３−３２６６０号公報
【発明の開示】
【発明が解決しようとする課題】
【０００５】
しかしながら、従来の技術では、コンテンツを視聴している視聴者が、そのコンテンツを視聴したことを動機に他の関連するコンテンツを所望していても、これらの関連するコンテンツを視聴者が満足するように提供することは難しかった。
【０００６】
また、視聴者が用いる視聴装置の違いに起因した視聴環境にコンテンツを合わせるには、コンテンツ記録媒体の物理的な制限や、あるいはコンテンツを放送する公共放送上の技術的制限などにより難しかった。
【０００７】
また、コンテンツの視聴場所は流通媒体に対応可能な条件を備えた視聴装置およびその設置場所に制限されてしまい、例えば、宅内で視聴可能なコンテンツを移動中に視聴するためには、宅内の視聴装置と同様の機能を携帯端末に実装しなければならなかった。
【０００８】
また、物理的な制限を避ける手段としてインターネット等のネットワークを介してコンテンツの配信を行っているものの、配信されるコンテンツを視聴者が視聴するためには、視聴者自身がコンテンツ配信サーバなどへ自発的にアクセスし、コンテンツ配信を所望することの意思表示を送信し、あるいはコンテンツを受信するための所定の操作も必要であって、効率的なコンテンツ配信をすることが難しかった。
【０００９】
このような課題に鑑み、本発明は、ネットワークを介した配信先の環境に応じた条件でコンテンツを配信でき、もって、宅内情報通信端末と携帯型移動情報通信端末の双方において共通にコンテンツの視聴をすることができ、また、情報通信端末にて取得された元コンテンツの誘導による効率的なコンテンツ配信が可能なコンテンツ配信システムおよび方法、プログラムを提供することを目的としている。
【課題を解決するための手段】
【００１０】
請求項１に記載の本発明は、ネットワークに接続された情報通信端末にコンテンツを配信するためのコンテンツ配信システムにおいて、前記コンテンツを配信可能に蓄積するためのコンテンツデータベースと、前記コンテンツデータベースに蓄積された前記コンテンツのコンテンツパラメータ情報を記憶するためのコンテンツ情報データベースと、前記情報通信端末に入力された元コンテンツの元コンテンツパラメータ情報を解析して抽出するための元コンテンツパラメータ情報抽出手段と、前記元コンテンツパラメータ情報を前記コンテンツ情報データベースへ送信するための送信手段と、前記コンテンツ情報データベースが受信した前記元コンテンツパラメータ情報に合致する前記コンテンツパラメータ情報を検索し、合致した前記コンテンツパラメータ情報に紐付けされたコンテンツを前記コンテンツデータベースから呼出すためのコンテンツ呼出し手段と、呼出された前記コンテンツを前記情報通信端末へ配信するためのコンテンツ配信手段と、を備える。
【００１１】
また、請求項２に記載の本発明は、請求項１において、前記コンテンツ配信手段は、配信可能な前記コンテンツの有無および種類を前記情報通信端末へ通知し、この通知に対する前記情報通信端末からの返信内容に応じた前記コンテンツの配信を実行する。
【００１２】
また、請求項３に記載の本発明は、請求項１または２のいずれか１項において、前記元コンテンツは、公共放送による番組の内容情報、光磁気記録媒体に記録された音声情報や動画情報および静止画情報、前記ネットワークを介して配信されるＩＰ系コンテンツ情報、のうちのすくなくともいずれかである。
【００１３】
また、請求項４に記載の本発明は、請求項１〜３のうちのいずれか１項において、前記元コンテンツパラメータ情報は、前記公共放送におけるチャンネル情報および放送時間、前記光磁気記録媒体および前記ＩＰ系コンテンツ情報に付与されたユニークＩＤ、のうちのすくなくともいずれかである。
【００１４】
また、請求項５に記載の本発明は、請求項１〜４のうちのいずれか１項において、前記コンテンツは、前記情報通信端末の種類および／または該情報通信端末に予め設定されたコンテンツ条件に応じた内容であって、すくなくとも翻訳字幕入り版、コマーシャルカット版、高品質版、携帯電話対応版、のうちのいずれか一つを含む。
【００１５】
また、請求項６に記載の本発明は、請求項１〜５のうちのいずれか１項において、前記情報通信端末は、ＰＣ、ＰＤＡ、携帯電話、ＴＶ、音声記録再生装置、画像記録再生装置、のうちのすくなくともいずれかである。
【００１６】
また、請求項７に記載の本発明は、ネットワークに接続された情報通信端末にコンテンツを配信するためのコンテンツ配信方法において、コンテンツデータベースによって、前記コンテンツを配信可能に蓄積するステップと、コンテンツ情報データベースによって、前記コンテンツデータベースに蓄積された前記コンテンツのコンテンツパラメータ情報を記憶するステップと、元コンテンツパラメータ情報抽出手段によって、前記情報通信端末に入力された元コンテンツの元コンテンツパラメータ情報を解析して抽出するステップと、送信手段によって、前記元コンテンツパラメータ情報を前記コンテンツ情報データベースへ送信するステップと、コンテンツ呼出し手段によって、前記コンテンツ情報データベースが受信した前記元コンテンツパラメータ情報に合致する前記コンテンツパラメータ情報を検索し、合致した前記コンテンツパラメータ情報に紐付けされたコンテンツを前記コンテンツデータベースから呼出すステップと、コンテンツ配信手段によって、呼出された前記コンテンツを前記情報通信端末へ配信するステップと、を有する。
【００１７】
また、請求項８に記載の本発明は、請求項７において、前記コンテンツ配信手段は、配信可能な前記コンテンツの有無および種類を前記情報通信端末へ通知し、この通知に対する前記情報通信端末からの返信内容に応じた前記コンテンツの配信を実行する。
【００１８】
また、請求項９に記載の本発明は、請求項７または８のいずれか１項において、前記元コンテンツは、公共放送による番組の内容情報、光磁気記録媒体に記録された音声情報や動画情報および静止画情報、前記ネットワークを介して配信されるＩＰ系コンテンツ情報、のうちのすくなくともいずれかである。
【００１９】
また、請求項１０に記載の本発明は、請求項７〜９のうちのいずれか１項において、前記元コンテンツパラメータ情報は、前記公共放送におけるチャンネル情報および放送時間、前記光磁気記録媒体および前記ＩＰ系コンテンツ情報に付与されたユニークＩＤ、のうちのすくなくともいずれかである。
【００２０】
また、請求項１１に記載の本発明は、請求項７〜１０のうちのいずれか１項において、前記コンテンツは、前記情報通信端末の種類および／または該情報通信端末に予め設定されたコンテンツ条件に応じた内容であって、すくなくとも翻訳字幕入り版、コマーシャルカット版、高品質版、携帯電話対応版、のうちのいずれか一つを含む。
【００２１】
また、請求項１２に記載の本発明は、請求項７〜１１のうちのいずれか１項において、前記情報通信端末は、ＰＣ、ＰＤＡ、携帯電話、ＴＶ、音声記録再生装置、画像記録再生装置、のうちのすくなくともいずれかである。
【００２２】
また、請求項１３に記載の本発明は、ネットワークに接続された情報通信端末にコンテンツを配信するためのコンテンツ配信プログラムにおいて、コンテンツデータベースによって、前記コンテンツを配信可能に蓄積するステップと、コンテンツ情報データベースによって、前記コンテンツデータベースに蓄積された前記コンテンツのコンテンツパラメータ情報を記憶するステップと、元コンテンツパラメータ情報抽出手段によって、前記情報通信端末に入力された元コンテンツの元コンテンツパラメータ情報を解析して抽出するステップと、送信手段によって、前記元コンテンツパラメータ情報を前記コンテンツ情報データベースへ送信するステップと、コンテンツ呼出し手段によって、前記コンテンツ情報データベースが受信した前記元コンテンツパラメータ情報に合致する前記コンテンツパラメータ情報を検索し、合致した前記コンテンツパラメータ情報に紐付けされたコンテンツを前記コンテンツデータベースから呼出すステップと、コンテンツ配信手段によって、呼出された前記コンテンツを前記情報通信端末へ配信するステップと、を有する。
【００２３】
また、請求項１４に記載の本発明は、請求項１３において、前記コンテンツ配信手段は、配信可能な前記コンテンツの有無および種類を前記情報通信端末へ通知し、この通知に対する前記情報通信端末からの返信内容に応じた前記コンテンツの配信を実行する。
【００２４】
また、請求項１５に記載の本発明は、請求項１３または１４のいずれか１項において、前記元コンテンツは、公共放送による番組の内容情報、光磁気記録媒体に記録された音声情報や動画情報および静止画情報、前記ネットワークを介して配信されるＩＰ系コンテンツ情報、のうちのすくなくともいずれかである。
【００２５】
また、請求項１６に記載の本発明は、請求項１３〜１５のうちのいずれか１項において、前記元コンテンツパラメータ情報は、前記公共放送におけるチャンネル情報および放送時間、前記光磁気記録媒体および前記ＩＰ系コンテンツ情報に付与されたユニークＩＤ、のうちのすくなくともいずれかである。
【００２６】
また、請求項１７に記載の本発明は、請求項１３〜１６のうちのいずれか１項において、前記コンテンツは、前記情報通信端末の種類および／または該情報通信端末に予め設定されたコンテンツ条件に応じた内容であって、すくなくとも翻訳字幕入り版、コマーシャルカット版、高品質版、携帯電話対応版、のうちのいずれか一つを含む。
【００２７】
また、請求項１８に記載の本発明は、請求項１３〜１７のうちのいずれか１項において、前記情報通信端末は、ＰＣ、ＰＤＡ、携帯電話、ＴＶ、音声記録再生装置、画像記録再生装置、のうちのすくなくともいずれかである。
【００２８】
また、請求項１９に記載の本発明は、請求項１３〜１８のうちのいずれか１項に記載のコンテンツ配信プログラムが、前記ネットワーク上に配置されたサーバにインストールして実行可能である。
【発明の効果】
【００２９】
本発明によれば、ネットワークを介した配信先の環境に応じた条件でコンテンツを配信でき、もって、宅内情報通信端末と携帯型移動情報通信端末の双方において共通にコンテンツの視聴をすることができ、また、情報通信端末にて取得された元コンテンツの誘導による効率的なコンテンツ配信が可能なコンテンツ配信システムおよび方法、プログラムを提供することができる。
【発明を実施するための最良の形態】
【００３０】
図１に、本発明のコンテンツ配信システムの実施の形態に係る、全体構成を説明するための構成図を示す。
【００３１】
この図１において、コンテンツ配信センタ１と、情報通信端末２と、携帯型情報通信端末３と、ネットワーク４とが示されている。
【００３２】
コンテンツ配信センタ１は、インターネットなどのネットワーク４を介して情報通信端末２や携帯型情報通信端末３へコンテンツを配信する。コンテンツ配信センタ１の主要な構成は、コンテンツ配信をするための配信システム５と、コンテンツを記憶し蓄積しているコンテンツデータベース（ＤＢ）６と、コンテンツのパラメータ情報（コンテンツパラメータ情報）を記憶し蓄積しているコンテンツ情報データベース（ＤＢ）７と、を備えている。
【００３３】
また、情報通信端末２と携帯型情報通信端末３は共に、元コンテンツに含まれるパラメータ情報（元コンテンツパラメータ情報）を抽出し解析するためのコンテンツ解析装置８と、ＣＤ１５やＤＶＤ１６および放送（公共放送）１７などの元コンテンツを視聴のために再生するコンテンツ再生装置９と、ネットワーク４に接続して情報通信を行うためのネットワークインタフェイス（ＮＷ Ｉ／Ｆ）１０と、ＣＤ１５やＤＶＤ１６および放送１７などをコンテンツとして取り込む（入力する）ための入力Ｉ／Ｆ１１と、を備えている。
【００３４】
なお、携帯型情報通信端末３においては入力インタフェイス１１に対して外部メモリ１９に記憶されたデータもコンテンツとして取り込むことができる。また、ＩＰ系コンテンツ１８はネットワーク４を介してネットワークインタフェイス１０へ入力される。
【００３５】
次の図２に、本発明のコンテンツ配信システムの実施の形態に係る、コンテンツの流通処理を説明するための説明図を示す。
【００３６】
この図２において、図１に参照される構成により流通するコンテンツの流れを模式的に示して説明する。まず、情報通信端末２において任意のＣＤ１５やＤＶＤ１６あるいは放送１７による音楽や映像などの元コンテンツを視聴する。ここで視聴している元コンテンツに含まれるパラメータ情報（元コンテンツパラメータ情報）をコンテンツ解析装置８により抽出する。抽出されたパラメータ情報はネットワーク４を介してコンテンツ配信センタ１へ送信され、コンテンツ情報送信（１）が完了する。
【００３７】
なお、パラメータ情報には情報通信端末２（あるいは携帯型情報通信端末３）の機種情報や通信回線の種類、通信回線の転送速度、機種による受入可能なコンテンツの制約に係る情報、コンテンツを視聴するユーザの任意や機種の初期設定に基づく制約情報、などの通信環境情報も同時に付随して送信される。
【００３８】
また、パラメータ情報とは、たとえば図３に参照されるパラメータ構造を通信環境情報とは別に備えている。ＣＤ１５（あるいはＤＶＤ１６）におけるパラメータ情報としては、ユニークＩＤ２０が付与されており、このユニークＩＤ２０に基づいてＣＤ１５の個体識別や内容などを特定するための情報となる。ＣＤ１５やＤＶＤ１６においては、このユニークＩＤ２０としてＴＯＣ（Table of contents）や、あるいは記録されているコンテンツ内容のタイトル等をＩＤとして用いることができる。
【００３９】
また、放送１７については、ＴＶなどのチャンネル２２や番組の放送時間２３などをＩＤとして用いることができる。
【００４０】
また、ＩＰ系コンテンツ１８の場合は、ＩＰ系コンテンツを配信する各事業者が事前にコンテンツ毎に付与したユニークＩＤ２１などを用いることができる。
【００４１】
次に、図２において、コンテンツ情報送信（１）が実行されると、コンテンツ配信センタ１では配信システム５がコンテンツ情報データベース７に対してデータベース照会（２）を行う。このコンテンツ情報データベース７には、受信したコンテンツ情報を、コンテンツデータベース６に記憶された配信可能のコンテンツに対応付けするための、紐付け情報が記憶され蓄積されている。この紐付け情報は、コンテンツデータベース６に記憶され配信可能なコンテンツのパラメータ情報（コンテンツパラメータ情報）を用いている。
【００４２】
データベース照会（２）の結果、情報通信端末２から送信されてきたコンテンツ情報に対して、これに紐付けされ配信可能なコンテンツデータベース６内のコンテンツが在ることを、情報通信端末２へ結果送信（３）する。
【００４３】
次に、情報通信端末２では、この結果送信（３）を受けて、提示されたコンテンツの配信を受けるか否かを判断し、配信を選択する場合にリクエスト送信（４）をコンテンツ配信センタ１へ送信する。
【００４４】
なお、このリクエスト送信（４）は情報通信端末２に予め設定された条件に応じて、リクエストの要否を判断してもよく、あるいは情報通信端末２を利用するユーザの任意による選択に拠っても良い。
【００４５】
コンテンツ配信センタ１では、このリクエスト送信（４）を受けて配信システム５がコンテンツデータベース６に対し、該当するコンテンツの配信指示（５）を行う。
【００４６】
コンテンツデータベース６は配信指示（５）を受けてコンテンツ配信（６）を実行する。このコンテンツ配信（６）は、ネットワーク４を介して情報通信端末２へ配信される。あるいは携帯情報通信端末３へ図示しない通信事業者のネットワークを介して配信される。
【００４７】
次の図４に、本発明のコンテンツ配信システムの実施の形態に係る、コンテンツの配信処理を説明するためのフロー図を示す。
【００４８】
既に図３を参照して説明したコンテンツ配信処理について、フロー図を参照して更に理解を容易にするために説明する。まず、ＣＤ１５、ＤＶＤ１６等の記録媒体からの元コンテンツの読み込みが情報通信端末２にて行われる（ステップ１：Ｓ１）。または、放送１７の放送受信（ステップ２：Ｓ２）や、あるいはＩＰ系コンテンツ１８の読み込みが行われる（ステップ３：Ｓ３）。ここで読み込まれるのはコンテンツ配信するための元コンテンツである。
【００４９】
読み込まれた元コンテンツのパラメータ情報を参照してコンテンツ解析装置８による抽出が実行される（ステップ４：Ｓ４）。
【００５０】
次に、抽出されたパラメータ情報がネットワーク４を介して送信される（ステップ５：Ｓ５）。
【００５１】
次に、コンテンツ情報データベース７に対して、受信したパラメータ情報に対応するコンテンツ（コンテンツデータベース６に記憶され蓄積されたコンテンツ）の有無をコンテンツ情報データベース７に照会する（ステップ６：Ｓ６）。
【００５２】
このステップ６における照会で、コンテンツデータベース６にパラメータ情報に該当するコンテンツが無い（ＮＯ）場合と、在る（ＹＥＳ）場合の２値の判断が実行される。
【００５３】
ここで、ステップ６における判断が（ＹＥＳ）である場合は、情報通信端末２へ照会のあったコンテンツの配信が可能であることを結果送信する（ステップ７：Ｓ７）。この結果送信は情報通信端末２へ配信され、情報通信端末２にはこの結果を通知するための結果表示が実行される（ステップ８：Ｓ８）。
【００５４】
次に、情報通信端末２においてコンテンツの配信を受けるか否か（ＹＥＳ／ＮＯ）の判断が行われる（ステップ９：Ｓ９）。この判断は、予め情報通信端末２に設定された条件により選択して配信の要否を判断してもよく、あるいは情報通信端末２を利用するユーザの判断による指示入力によっても良い。
【００５５】
このステップ９でＹＥＳと判断されると、コンテンツ配信センタ１からネットワークを介してリクエスト（配信要求）に応じたコンテンツの配信が実行される。ここで配信されるコンテンツは、ステップＳ４におけるコンテンツのパラメータ情報に対応するコンテンツデータベース６内のコンテンツである。このコンテンツは情報通信端末２からの要求に応じた内容であり、情報通信端末２の種類および／または情報通信端末２に予め設定されたコンテンツ条件に応じた内容であって、すくなくとも翻訳字幕入り版、コマーシャルカット版、高品質版、携帯電話対応版、などのうちのいずれか一つを含んだ形態を備えている。
【００５６】
一方、ステップ９にてコンテンツ配信をＮＯ(拒否）と判断すると、一連のコンテンツ配信の処理フローは終了する（ステップ１３：Ｓ１３）。
【００５７】
図５に、本発明のコンテンツ配信システムの実施の形態に係る、コンテンツのパラメータ情報の照会処理を説明するための説明図を示す。
【００５８】
この図５においては、図１〜図４を参照して説明したコンテンツ配信の処理について、特にコンテンツ毎のパラメータ情報の照会に着目して、その一連の処理を説明図に示したものである。
【００５９】
まず、ＣＤ（ＤＶＤ１６）１５には個別のユニークＩＤ２０が付与されている。同様に、放送１７では、チャンネル２２や放送時間２３がパラメータ情報として付与されている。ＩＰ系コンテンツ１８についても、事業者が付与するユニークＩＤ２１がパラメータ情報とされている。これらはコンテンツ配信をするための元コンテンツとなる。
【００６０】
これらのパラメータ情報はコンテンツ情報データベース７に照会される。この照会により、照会のあったパラメータ情報に該当するコンテンツがコンテンツデータベース７にあった場合、そのタイトル２４とキーワード２５がコンテンツデータベース６へ送信される。
【００６１】
コンテンツデータベース６は、このタイトル２４とキーワード２５とに基づいて元コンテンツに関連する関連コンテンツ２６を配信する。
【００６２】
以上説明した本発明の実施の形態によれば、ネットワークを介した配信先の環境に応じた条件でコンテンツを配信でき、もって、宅内情報通信端末と携帯型移動情報通信端末の双方において共通にコンテンツの視聴をすることができ、また、情報通信端末にて取得された元コンテンツの誘導による効率的なコンテンツ配信が可能なコンテンツ配信システムおよび方法、プログラムを提供することができる。
【図面の簡単な説明】
【００６３】
【図１】本発明のコンテンツ配信システムの実施の形態に係る、全体構成を説明するための構成図を示す。
【図２】本発明のコンテンツ配信システムの実施の形態に係る、コンテンツの流通処理を説明するための説明図を示す。
【図３】本発明のコンテンツ配信システムの実施の形態に係る、コンテンツのパラメータ構造の一つの例を示す。
【図４】本発明のコンテンツ配信システムの実施の形態に係る、コンテンツの配信処理を説明するためのフロー図を示す。
【図５】本発明のコンテンツ配信システムの実施の形態に係る、コンテンツのパラメータ情報の照会処理を説明するための説明図を示す。
【符号の説明】
【００６４】
１  コンテンツ配信センタ
２  情報通信端末
３  携帯型情報通信端末
４  ネットワーク
５  配信システム
６  コンテンツＤＢ（データベース）
７  コンテンツ情報ＤＢ（データベース）
８  コンテンツ解析装置
９  コンテンツ再生装置
１０  ネットワークインタフェイス（ＮＷ Ｉ／Ｆ）
１１  入力Ｉ／Ｆ
２０、２１  ユニークＩＤ
２２  チャンネル
２３  放送時間
【図１】
2006301808.tif 000003
【図２】
2006301808.tif 000004
【図３】
2006301808.tif 000005
【図４】
2006301808.tif 000006
【図５】
2006301808.tif 000007